(57)【要約】　　　（修正有）【課題】内袋一体の内袋付き箱であって、すでに底部を有する内袋、あるいはラミジップ付きの内袋などを外箱を折り畳んだ状態で内面に貼着し、起こすことにより、内容物の充填や取り出しがしやすく、再封がしやすく、かつ、充填包装機にも対応できる内袋付き箱を提供する。【解決手段】側板１１、１３、前板１２、後板１４により形成された胴部と、上折り込み片１６、２０、天板１８、天下板２２により形成された天部と、下折り込み片１７、２１、底板、底下板２３により形成された底部からなる外箱１と、該外箱の内面に貼着された内袋２からなり、両側板、両上下折り込み片の中央部に縦方向にそれぞれ折れ線を設け、該折れ線で外箱を平面状に折り畳んだ状態で内面に内袋を貼着し、使用時に外箱を前記折れ線で起こすことにより内袋を開口し、内容物を充填した状態で天部と底部を形成して四角柱あるいは六角柱形状としたことを特徴とする内袋付き箱である。【選択図】図１
2004051167.tif 000002
【特許請求の範囲】
【請求項１】
側板、前板、側板、後板により形成された胴部と、上折り込み片、天板、上折り込み片、天下板により形成された天部と、下折り込み片、底板、下折り込み片、底下板により形成された底部とからなる外箱と、該外箱の内面に貼着された内袋からなり、前記両側板の中央部に縦方向にそれぞれ折れ線を設け、前記両上折り込み片および前記両下折り込み片の中央部に縦方向にそれぞれ折れ線又は切れ目を設け、該折れ線で前記外箱を平面状に折り畳んだ状態で内面に前記内袋を貼着し、使用時に前記外箱を前記折れ線で起こすことによって前記内袋を開口し、内容物を充填した状態で天部と底部を形成して多角柱形状としたことを特徴とする内袋付き箱。
【請求項２】
側板、前板、側板、後板により形成された胴部と、下折り込み片、底板、下折り込み片、底下板により形成された底部とからなる外箱と、該外箱の内面に貼着された内袋からなり、前記両側板の中央部に縦方向にそれぞれ折れ線を設け、前記両下折り込み片の中央部に縦方向にそれぞれ折れ線又は切れ目を設け、該折れ線で前記外箱を平面状に折り畳んだ状態で内面に前記内袋を貼着し、使用時に前記外箱を前記折れ線で起こすことによって前記内袋を開口し、内容物を充填した状態で底部を形成して多角柱形状としたことを特徴とする内袋付き箱。
【請求項３】
側板、前板、側板、後板により形成された胴部からなる外箱と、該外箱の内面に貼着された内袋からなり、前記両側板の中央部に縦方向にそれぞれ折れ線を設け、該折れ線で前記外箱を平面状に折り畳んだ状態で内面に前記内袋を貼着し、前記折れ線を起こすことによって前記内袋を開口し、内容物を充填した状態で多角柱形状としたことを特徴とする内袋付き箱。
【請求項４】
前記多角柱形状が四角柱形状であることを特徴とする請求項１乃至３のいずれかに記載の内袋付き箱。
【請求項５】
前記多角柱形状が六角柱形状であることを特徴とする請求項１乃至３のいずれかに記載の内袋付き箱。
【請求項６】
前記内袋が、上辺および下辺を開口した筒状であることを特徴とする請求項１乃至５のいずれかに記載の内袋付き箱。
【請求項７】
前記内袋が、上辺あるいは下辺がシールされた有底の筒状であることを特徴とする請求項１乃至５のいずれかに記載の内袋付き箱。
【請求項８】
前記内袋が、ラミジップ付きの筒状であることを特徴とする請求項１乃至５のいずれかに記載の内袋付き箱。
【請求項９】
前記内袋が、側面が折り込まれたガゼット型の筒状であることを特徴とする請求項１乃至５のいずれかに記載の内袋付き箱。
【発明の詳細な説明】
【０００１】
【発明の属する技術分野】
本発明は、外箱と、内袋とからなる内袋付き箱に関するものであり、詳しくは、外箱を折り畳んだ状態で内袋を内面に貼着し、起こすことにより、内容物が充填しやすく、また、再封がしやすい形状の内袋付き箱に関するものである。
【０００２】
【従来の技術】
従来から、内袋が外箱の中に貼着されて一体化されている折り畳み可能な直方体の内袋付き箱があり、内容物を充填する前の段階では、図１６−ａに示すように、外箱１の内面に内袋２が貼着されて折り畳まれた平らな形状として、輸送、保管などに都合よい状態としておき、内容物を充填する段階で、図１６−ｂに示すように、折り畳まれた状態から外箱１を起こして、同時に内袋２を開口して、一方の開口部をシールして密封し、もう一方の開口部から内容物を充填した後、図１６−ｃに示すように、シールして密封することにより、図１６−ｄに示すような内容物が充填された内袋付き箱Ｐを作製している。
【０００３】
【発明が解決しようとする課題】
しかしながら、上記の従来の内袋付き箱Ｐでは、すでに底部を有する内袋２、あるいはラミジップ付きの内袋２を用いる場合には、従来の形状の外箱１を畳んだ状態で外箱１の内面に内袋２を貼着すると、図１７に示すように、外箱１を起こして立体化した場合に内袋２が捻じれて内容物の充填に支障をきたすし、開口部が歪んでしまい再封が困難なものとなる。これを防ぐためには、外箱１だけを別に起こして立体形状にした後、内袋２を正規な位置に貼着する作業を実施しなければならず、生産性が上がらず作業性の悪いものとなる。この結果、製品がコスト高となるという問題点を有している。
【０００４】
本発明は、上記の従来の内袋付き箱の問題点に鑑みなされたものであって、外箱と内袋とが一体となっている内袋付き箱であって、すでに底部を有する内袋、あるいはラミジップ付きの内袋などを外箱を折り畳んだ状態で内面に貼着し、起こすことにより、内容物が充填しやすく、また、使用時に内容物を取り出しやすく、さらに、再封がしやすい形状で、かつ、充填包装機にも対応できる内袋付き箱を提供することを目的とするものである。
【０００５】
【課題を解決するための手段】
上記課題を解決するための第一の発明は、側板、前板、側板、後板により形成された胴部と、上折り込み片、天板、上折り込み片、天下板により形成された天部と、下折り込み片、底板、下折り込み片、底下板により形成された底部とからなる外箱と、該外箱の内面に貼着された内袋からなり、前記両側板の中央部に縦方向にそれぞれ折れ線を設け、前記両上折り込み片および前記両下折り込み片の中央部に縦方向にそれぞれ折れ線又は切れ目を設け、該折れ線で前記外箱を平面状に折り畳んだ状態で内面に前記内袋を貼着し、使用時に前記外箱を前記折れ線で起こすことによって前記内袋を開口し、内容物を充填した状態で天部と底部を形成して多角柱形状としたことを特徴とする内袋付き箱である。
【０００６】
また、第二の発明は、側板、前板、側板、後板により形成された胴部と、下折り込み片、底板、下折り込み片、底下板により形成された底部とからなる外箱と、該外箱の内面に貼着された内袋からなり、前記両側板の中央部に縦方向にそれぞれ折れ線を設け、前記両下折り込み片の中央部に縦方向にそれぞれ折れ線又は切れ目を設け、該折れ線で前記外箱を平面状に折り畳んだ状態で内面に前記内袋を貼着し、使用時に前記外箱を前記折れ線で起こすことによって前記内袋を開口し、内容物を充填した状態で底部を形成して多角柱形状としたことを特徴とする内袋付き箱である。
【０００７】
さらに、第三の発明は、側板、前板、側板、後板により形成された胴部からなる外箱と、該外箱の内面に貼着された内袋からなり、前記両側板の中央部に縦方向にそれぞれ折れ線を設け、該折れ線で前記外箱を平面状に折り畳んだ状態で内面に前記内袋を貼着し、前記折れ線を起こすことによって前記内袋を開口し、内容物を充填した状態で多角柱形状としたことを特徴とする内袋付き箱である。
【０００８】
いずれの発明においても、前記多角柱形状が、四角柱形状、あるいは、六角柱形状であることを特徴とし、また、前記内袋が、上辺および下辺を開口した筒状であること、上辺あるいは下辺がシールされた有底の筒状であること、ラミジップ付きの筒状であること、そして、側面が折り込まれたガゼット型の筒状であることを特徴としている。
【０００９】
本発明によれば、内袋が外箱の中に貼着されて一体化されている内袋付き箱であって、内袋が外箱の内面に部分的に貼着されており、外箱の左右両側面の中央部に、縦方向に折れ線が設けられ、この折れ線で外箱を折り畳んだ状態で、有底筒状の内袋を外箱に貼着して内袋と外箱とを一体化することにより、外箱を起こして立体化する時に、同時に内袋が開口するが、この時、内袋の開口部が歪むことがなく、また、ラミジップなども捻じれることがなく、内容物が充填しやすく、また、使用時に内容物を取り出しやすく、さらに、再封がしやすい形状で、かつ、充填包装機にも対応できる内袋付き箱を得ることができる。
【００１０】
【本発明の実施の形態】
以下に、本発明の内袋付き箱の実施の形態について、図面にもとづいて説明する。なお、説明を簡単にするため、各図における対応する同一部位には同じ符号を付している。
【００１１】
図１は、本発明の内袋付き箱の第一の実施の形態の一実施例を示す図である。内袋付き箱Ａは、折り畳み可能な外箱１と、内袋２とから構成されており、図１−ａは、折り畳まれた状態を示す図であり、外箱１は、両側板１１、１３および側板１１、１３の上辺と下辺に連設した上下折り込み片１６、１７、２０、２１の中央に縦状に設けられた折れ線ｉ、ｊで折り曲げられた状態であり、折り畳まれた外箱１の内幅とほぼ一致するような幅の内袋２が外箱１の内面に貼着されている。この折り畳まれた状態の内袋付き箱Ａが組み立てられた時に、折り畳まれていた側板１１、１３が平面状になり、図１−ｂに示すように、直方体に形成されるようになっている。
【００１２】
図２は、外箱１のブランクを示す展開図である。ブランク１０Ａは、側板１１、前板１２、側板１３、後板１４、そして、糊代片１５をそれぞれ折れ線ａ、ｂ、ｃ、ｄを介して順次連設し、側板１１の上辺および下辺には折れ線ｅ、ｅを介して上下折り込み片１６、１７をそれぞれ連設し、前板１２の上辺および下辺には折れ線ｆ、ｆを介して天板１８、底板１９をそれぞれ連設し、側板１３の上辺および下辺には折れ線ｇ、ｇを介して上下折り込み片２０、２１をそれぞれ連設し、後板１４の上辺および下辺には折れ線ｈ、ｈを介して天下板２２、底下板２３をそれぞれ連設している。そして、側板１１および上下折り込み片１６、１７のそれぞれの中央部には縦方向に折れ線ｉが、側板１３および上下折り込み片２０、２１のそれぞれの中央部には縦方向に折れ線ｊが設けられている。この折れ線ｉ、ｊを外方向に折り曲げることにより、外箱１を平面状に折り畳むことができるようになっている。
【００１３】
外箱１に使用する材料は、特に限定されるものではないが、板紙が主に使用される。その範囲は広く、コートボール、マニラボール、ミルクカートン原紙、カップ原紙、段ボールなどを使用することができる。
【００１４】
一方、内袋２は、内容物を充填する前では、筒状であり、折り畳まれた状態で外箱１の内面に貼着される。図３−ａに示すような上辺および下辺を開口した筒状の内袋２Ａは当然のこと、本発明の内袋付き箱Ａでは、図３−ｂに示すような上辺あるいは下辺がシールされた有底の内袋２Ｂ、あるいは、図３−ｃに示すようなラミジップＺを付けたラミジップ付きの内袋２Ｃを使用することができることが大きな特長である。この内袋２を平面状に畳んだ時の幅は、図１−ａに示すように、外箱１を折れ線ｉ、ｊで折り畳んだ時の左右両端間の内幅にほぼ一致するようにする。
【００１５】
また、内袋２は、外箱１の内面に部分的に貼着されるが、図４−ａに示すように、前板１２、後板１４の四隅部分にスポット的に貼着部Ｈを設けて貼着することが好ましい。また、図４−ｂに示すように、前板１２、後板１４の上下部分に設けてもよく、図４−ｃに示すように、前板１２、後板１４の左右部分に設けてもよい。
【００１６】
また、内袋２を構成する材料は、特に限定されるものではないが、低密度ポリエチレン、中密度ポリエチレン、高密度ポリエチレン、直鎖状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸共重合体、メチルペンテン系樹脂、ポリブテン系樹脂等のポリオレフィン系樹脂、ポリ塩化ビニル系樹脂などのプラスチックフィルム、これらのプラスチックフィルムを複数積層した積層体、これらのプラスチックフィルムに紙または金属箔等を適宜積層した材料が主に使用される。例えば、ポリエチレン単層、延伸ポリプロピレンとポリエチレンの積層体、または延伸ポリエステルとポリエチレンの積層体、延伸ポリプロピレンとアルミとポリエチレンの積層体、ポリエステルとシリカ蒸着ポリエステルとポリエチレンの積層体などがあげられ、全体として水蒸気バリア性、ガスバリア性および密封性を有している。
【００１７】
以下に、上記の外箱１のブランク１０Ａと内袋２を使用して本発明の内袋付き箱Ａを製造する方法について一例をあげて説明する。
【００１８】
まず、外箱１のブランク１０Ａを内面が上側となるように置き、図５−ａに示すように、内袋２（斜線部）を、折れ線ｉ、ｊの間になるように配して載置し、側板１３および上下折り込み片２０、２１を中央縦状の折れ線ｊで中央から内側に折り曲げて、図５−ｂに示すように、内袋２の上に重ね、同様に、側板１１および上下折り込み片１６、１７を中央縦状の折れ線ｉで中央から内側に折り曲げて、図５−ｃに示すように、内袋２の上に重ね、糊代片１５と貼り合せる。その時、内袋２を外箱１の内面に部分的に接着剤で貼り合せることにより、内袋２が挟まれた状態で外箱１の内面に貼着され、折り畳まれた状態の内袋付き箱Ａとなる。この内容物の充填前の折り畳まれた状態で、保管、輸送などが行われる。
【００１９】
つぎに、上記の内袋付き箱Ａに内容物を充填する時は、図６−ａに示すように、折れ線ｉ、ｊで折り畳まれた外箱１の折り曲げられた折れ線ｉ、ｊを戻して、側板１１、上下折り込み片１６、１７、および、側板１３、上下折り込み片２０、２１を平面状に戻して、折れ線ａ、ｂ、ｃ、ｄで前板１２、後板１４、側板１１、側板１３の各板を折り曲げて図６−ｂに示すような四角形状の立体形に組み立てることによって、内袋２が開口される。
【００２０】
上辺および下辺の両辺が未シール状態の内袋２Ａでは、一方をシールし、外箱１の下折り込み片１７、２１、底下板２３、底板１９を内側に折り曲げて密封して底部を形成し、もう一方の側から内容物を充填してシールし、外箱１の上折り込み片１６、２０、天下板２２、天板１８を内側に折り曲げて密封して天部を形成して直方体の内袋付き箱Ａとする。
【００２１】
一方の辺がすでにシールされている内袋２Ｂでは、シールされた側において、外箱１の下折り込み片１７、２１、底下板２３、底板１９を内側に折り曲げて密封して底部を形成し、未シールの側から内容物を充填して、シールし、外箱１の上折り込み片１６、２０、天下板２２、天板１８を内側に折り曲げて密封して天部を形成して直方体の内袋付き箱Ａとする。
【００２２】
ラミジップ付き内袋２Ｃでは、ラミジップの付いた側において、外箱１の上折り込み片１６、２０、天下板２２、天板１８を内側に折り曲げて密封して天部を形成し、もう一方の側から内容物を充填してシールし、外箱１の下折り込み片１７、２１、底下板２３、底板１９を内側に折り曲げて密封して底部を形成して直方体の内袋付き箱Ａとする。
【００２３】
いずれの内袋２の場合においても、外箱１を起こして角柱にする時に開口する内袋２の開口部の歪みが少なく、内容物を容易に充填し、内袋２の開口部をシールすることができる。
【００２４】
図６は、本発明の内袋付き箱の第二の実施の形態の一実施例を示す図である。内袋付き箱Ｂは、折り畳み可能な外箱１と、内袋２とから構成されており、図７−ａは、折り畳まれた状態を示す図であり、外箱１は、両側板１１、１３の中央に縦状に設けられた折れ線ｉ、ｊで折り曲げられた状態であり、折り畳まれた外箱１の内幅とほぼ一致するような幅の内袋２が外箱１の内面に貼着されている。この折り畳まれた状態の内袋付き箱Ｂが組み立てられた時は、内袋付き箱Ａとは異なり、折り畳まれていた側板１１、１３を平面状までは戻さずに角度をもった状態とすることにより、図７−ｂに示すように、六角柱形状に形成されている。
【００２５】
図８は、外箱１のブランクを示す展開図である。ブランク１０Ｂは、側板１１、前板１２、側板１３、後板１４、そして、糊代片１５をそれぞれ折れ線ａ、ｂ、ｃ、ｄを介して順次連設し、側板１１の上辺および下辺には折れ線ｅ、ｅを介して上下折り込み片１６、１７をそれぞれ連設し、前板１２の上辺および下辺には折れ線ｆ、ｆを介して天板１８、底板１９をそれぞれ連設し、側板１３の上辺および下辺には折れ線ｇ、ｇを介して上下折り込み片２０、２１をそれぞれ連設し、後板１４の上辺および下辺には折れ線ｈ、ｈを介して天下板２２、底下板２３をそれぞれ連設している。そして、側板１１の中央部には縦方向に折れ線ｉが、側板１３の中央部には縦方向に折れ線ｊが設けられている。また、内袋付き箱Ａとは異なり、天板１８、底板１９および天下板２２、底下板２３は六角形状であり、上下折り込み片１６、１７、２０、２１は、それぞれ中央部の縦方向の切れ目により二分されている。この折れ線ｉ、ｊを外方向に折り曲げることにより、外箱１を折り畳むことができるようになっている。
【００２６】
一方、内袋２は、内袋付き箱Ａと同様に、内容物を充填する前では、筒状であり、折り畳まれた状態で外箱１の内面に貼着され、上辺および下辺を開口した筒状の内袋２Ａは当然のこと、上辺あるいは下辺がシールされた有底の内袋２Ｂ、あるいは、ラミジップ付きの内袋２Ｃを使用することができる。そして、この内袋２を平面状に畳んだときの幅は、図７−ａに示すように、外箱１を折れ線で折り畳んだ時の左右両端間の内幅にほぼ一致するようにする。
【００２７】
図８は、本発明の内袋付き箱の第三の実施の形態の一実施例を示す図である。内袋付き箱Ｃは、折り畳み可能な外箱１と、内袋２とから構成されており、図９−ａは、折り畳まれた状態を示す図であり、外箱１は、両側板１１、１３および側板１１、１３の上辺と下辺に連設した上下折り込み片１６、１７、２０、２１の中央に縦状に設けられた折れ線ｉ、ｊで折り曲げられた状態であり、内袋２が外箱１の内面に貼着されている。上記の実施例とは異なる点は、内袋２が両側面が内側に折り込まれているガゼット型の内袋であり、折り畳まれた外箱１の内幅とほぼ一致するような幅ではなく、内袋２の両側面が内側に折り込まれている寸法分だけ狭く貼着されている。この折り畳まれた状態の内袋付き箱Ｃが組み立てられた時は、折り畳まれていた側板が平面状になり、図９−ｂに示すように、直方体に形成さている。
【００２８】
内袋付き箱Ｃの外箱１のブランクは、内袋付き箱Ａの外箱１のブランク１０Ａと同様の形状である。
【００２９】
一方、内袋２は、上記の実施例の内袋２の形状とは異なり、図１０に示すように、両側面が折り込まれた、いわゆる、ガゼット型の内袋である。この内袋２Ｄを平面状に畳んだ時の幅は、図９−ａに示すように、外箱１を折れ線ｉ、ｊで折り畳んだ時の左右両端間の内幅より狭くし、両側板１１、１３を平面状にした時に、外箱１の全周が内袋２Ｄの全周とほぼ一致するようになっている。すなわち、図１１に示すように、折れ線ｉ、ｊで折り畳まれた外箱１の折り曲げられた折れ線ｉ、ｊを起こし、内袋２の折り込まれた部分が広がって、側板１１、上下折り込み片１６、１７、および、側板１３、上下折り込み片２０、２１を平面状に戻し、内袋２の折り込まれた部分を広げ、折れ線ａ、ｂ、ｃ、ｄで前板１２、後板１４、側板１１、側板１３の各板を折り曲げて四角形状の立体形に組み立てることによって、内袋２が開口される。
【００３０】
図１２は、本発明の内袋付き箱の第四の実施の形態の一実施例を示す図である。内袋付き箱Ｄは、折り畳み可能な外箱１と、内袋２とから構成されており、図１２−ａは、折り畳まれた状態を示す図であり、外箱１は、両側板１１、１３および側板１１、１３の下辺に連設した下折り込み片１７、２１の中央に縦状に設けられた折れ線ｉ、ｊで折り曲げられた状態であり、折り畳まれた外箱１の内幅とほぼ一致するような幅の内袋２が外箱１の内面に貼着されている。この折り畳まれた状態の内袋付き箱Ｄが組み立てられた時は、内袋付き箱Ａ、Ｂ、Ｃとは異なり、底部では外箱１で密封されているが、天部では内袋２が表出し、図１２−ｂ、ｃに示すように、四角柱形状に形成されている。図１２−ｃに示すように、内袋２の上部に表出した部分を両側板１１、１３に仮着することもできる。
【００３１】
図１３は、外箱１のブランクを示す展開図である。ブランク１０Ｄは、側板１１、前板１２、側板１３、後板１４、そして、糊代片１５をそれぞれ折れ線ａ、ｂ、ｃ、ｄを介して順次連設し、側板１１の下辺には折れ線ｅを介して下折り込み片１７を連設し、前板１２の下辺には折れ線ｆを介して底板１９を連設し、側板１３の下辺には折れ線ｇを介して下折り込み片２１を連設し、後板１４の下辺には折れ線ｈを介して底下板２３を連設している。そして、側板１１および下折り込み片１７のそれぞれの中央部には縦方向に折れ線ｉが、側板１３および下折り込み片２１のそれぞれの中央部には縦方向に折れ線ｊが設けられている。この折れ線ｉ、ｊを外方向に折り曲げることにより、外箱１を折り畳むことができるようになっている。
【００３２】
一方、内袋２は、内袋付き箱Ａ、Ｂ、Ｃと同様に、内容物を充填する前では、筒状であり、折り畳まれた状態で外箱１の内面に貼着され、上辺および下辺を開口した筒状の内袋２Ａは当然のこと、上辺あるいは下辺がシールされた有底の内袋２Ｂ、ラミジップ付きの内袋２Ｃ、そして、ガゼット型の内袋２Ｄを使用することができる。そして、この内袋２を平面状に畳んだときの幅は、図１−ａに示すように、外箱１を折れ線で折り畳んだ時の左右両端間の内幅にほぼ一致するようにする。ガゼット型の内袋２Ｄの場合には、狭い幅とする。
【００３３】
図１４は、本発明の内袋付き箱の第五の実施の形態の一実施例を示す図である。内袋付き箱Ｅは、折り畳み可能な外箱１と、内袋２とから構成されており、図１４−ａは、折り畳まれた状態を示す図であり、外箱１は、両側板１１、１３および側板１１、１３の下辺に連設した下折り込み片１７、２１の中央に縦状に設けられた折れ線ｉ、ｊで折り曲げられた状態であり、折り畳まれた外箱１の内幅とほぼ一致するような幅の内袋２が外箱１の内面に貼着されている。この折り畳まれた状態の内袋付き箱Ｅが組み立てられた時は、内袋付き箱Ａ、Ｂ、Ｃ、Ｄとは異なり、胴部は外箱１で包囲されているが、天部および底部では内袋２が表出し、図１４−ｂに示すように、四角柱形状に形成されている。
【００３４】
図１５は、外箱１のブランクを示す展開図である。ブランク１０Ｅは、側板１１、前板１２、側板１３、後板１４、そして、糊代片１５をそれぞれ折れ線ａ、ｂ、ｃ、ｄを介して順次連設している。そして、側板１１の中央部には縦方向に折れ線ｉが、側板１３の中央部には縦方向に折れ線ｊが設けられている。この折れ線ｉ、ｊを外方向に折り曲げることにより、外箱１を折り畳むことができるようになっている。
【００３５】
一方、内袋２は、内袋付き箱Ａ、Ｂ、Ｃと同様に、内容物を充填する前では、筒状であり、折り畳まれた状態で外箱１の内面に貼着され、上辺および下辺を開口した筒状の内袋２Ａは当然のこと、上辺あるいは下辺がシールされた有底の内袋２Ｂ、ラミジップ付きの内袋２Ｃ、そして、ガゼット型の内袋２Ｄを使用することができる。そして、この内袋２を平面状に畳んだときの幅は、図１−ａに示すように、外箱１を折れ線で折り畳んだ時の左右両端間の内幅にほぼ一致するようにする。ガゼット型の内袋２Ｄの場合には、狭い幅とする。
【００３６】
【発明の効果】
本発明の内袋付き箱は、以上のように、内袋が外箱の中に貼着されて一体化されている内袋付き箱であって、内袋が外箱の内面に部分的に貼着されており、外箱の左右両側面の中央部に、縦方向に折れ線が設けられ、この折れ線で外箱を折り畳んだ状態で、有底筒状の内袋を外箱に貼着して内袋と外箱とを一体化することにより、外箱を起こして立体化する時に、同時に内袋が開口するが、この時、内袋の開口部が歪むことがなく、また、ラミジップなども捻じれることがなく、内容物が充填しやすく、また、使用時に内容物を取り出しやすく、さらに、再封がしやすい形状で、かつ、充填包装機にも対応できるという効果を奏するものである。
【００３７】
これにより、内袋は外箱の少なくとも前後両側壁の両端部にて貼着されているので、全面貼着に比べて貼着材の消費量を減少させることができる。また、内袋は外箱に部分的に貼着しただけであるので、内袋と外箱との分離が容易となり、外箱の廃棄及び再利用が容易となる。
【００３８】
一方、外箱を畳む場合には折目にて折曲されるので、有底筒状の内袋を外箱に貼着する場合に、外箱における前後両側壁の両端部に貼着材を付け、上記内袋を挟み込むことによって、内袋と外箱とを一体化することが可能となる。また、貼着は外箱における前後両側壁の両端部にて行われるので、外箱を立体化するときに、内袋が外箱の内周に沿って開口する。このため、内袋の開口面積を外箱の開口面積に合致させることができると共に、内袋のみの開口作業を省略することができる。したがって、収容物の梱包が容易となり、使い勝手のよいものとなる。また、これにより、自動梱包機の適用も可能となる。
【００３９】
この結果、内袋と外箱とを容易に一体化することができ、内袋付き箱の製造及び梱包における作業性の向上が図れると共に、コスト高を回避することができるという効果を奏する。
【図面の簡単な説明】
【図１】本発明の内袋付き箱の第一の実施の形態の一実施例の折り畳んだ状態および組み立てた状態を示す斜視図である。
【図２】本発明の内袋付き箱の第一の実施の形態の一実施例のブランクを示す展開図である。
【図３】本発明の内袋付き箱の第一の実施の形態の一実施例の内袋の形状を示す斜視図である。
【図４】本発明の内袋付き箱の第一の実施の形態の一実施例の内袋を外箱に貼着する状態を示す平面図である。
【図５】本発明の内袋付き箱の第一の実施の形態の一実施例において折り畳んだ状態で内袋を貼着する過程を説明する斜視図である。
【図６】本発明の内袋付き箱の第一の実施の形態の一実施例において折り畳んだ状態から起こして組み立てた状態を示す概略断面図および斜視図である。
【図７】本発明の内袋付き箱の第二の実施の形態の一実施例の折り畳んだ状態および組み立てた状態を示す斜視図である。
【図８】本発明の内袋付き箱の第二の実施の形態の一実施例のブランクを示す展開図である。
【図９】本発明の内袋付き箱の第三の実施の形態の一実施例の折り畳んだ状態および組み立てた状態を示す斜視図である。
【図１０】本発明の内袋付き箱の第三の実施の形態の一実施例の内袋の形状を示す斜視図である。
【図１１】本発明の内袋付き箱の第三の実施の形態の一実施例において折り畳んだ状態から起こして組み立てた状態を示す概略断面図である。
【図１２】本発明の内袋付き箱の第四の実施の形態の一実施例の折り畳んだ状態および組み立てた状態を示す斜視図である。
【図１３】本発明の内袋付き箱の第四の実施の形態の一実施例のブランクを示す展開図である。
【図１４】本発明の内袋付き箱の第四の実施の形態の一実施例の折り畳んだ状態および組み立てた状態を示す斜視図である。
【図１５】本発明の内袋付き箱の第四の実施の形態の一実施例のブランクを示す展開図である。
【図１６】従来の内袋付き箱において折り畳んだ状態の斜視図および概略断面図、そして起こして組み立てた状態を示す斜視図である。
【図１７】従来の内袋付き箱において起こして開口した状態を示す斜視図である。
【符号の説明】
Ａ　　本発明の内袋付き箱（第一の実施の形態）
Ｂ　　本発明の内袋付き箱（第二の実施の形態）
Ｃ　　本発明の内袋付き箱（第三の実施の形態）
Ｄ　　本発明の内袋付き箱（第四の実施の形態）
Ｅ　　本発明の内袋付き箱（第五の実施の形態）
Ｐ　　従来の内袋付き箱
１　　外箱
２　　内袋
Ｈ　　貼着部
Ｚ　　ラミジップ
１０Ａ　ブランク（第一の実施の形態）
１０Ｂ　ブランク（第二の実施の形態）
１０Ｄ　ブランク（第四の実施の形態）
１０Ｅ　ブランク（第五の実施の形態）
１１　　側板
１２　　前板
１３　　側板
１４　　後板
１５　　糊代片
１６　　上折り込み片
１７　　下折り込み片
１８　　天板
１９　　底板
２０　　上折り込み片
２１　　下折り込み片
２２　　天下板
２３　　底下板
ａ〜ｊ　折れ線
【図１】
2004051167.tif 000003
【図２】
2004051167.tif 000004
【図３】
2004051167.tif 000005
【図４】
2004051167.tif 000006
【図５】
2004051167.tif 000007
【図６】
2004051167.tif 000008
【図７】
2004051167.tif 000009
【図８】
2004051167.tif 000010
【図９】
2004051167.tif 000011
【図１０】
2004051167.tif 000012
【図１１】
2004051167.tif 000013
【図１２】
2004051167.tif 000014
【図１３】
2004051167.tif 000015
【図１４】
2004051167.tif 000016
【図１５】
2004051167.tif 000017
【図１６】
2004051167.tif 000018
【図１７】
2004051167.tif 000019